(57)【要約】【課題】  人工歯冠の貫通孔における細菌の繁殖を抑制すると共に、容易に点検することができる人工歯構造体を提供する。【解決手段】  人工歯構造体は、歯槽骨に埋設されるインプラント体と、インプラントに取り付けられるアバットメントと、アバットメントに被せられ、アバットメントに向かって延びる貫通孔を有する人工歯冠と、人工歯冠をアバットメント又はインプラント体に締結すべく貫通孔に挿通される締結部材と、貫通孔の開口側部分を塞ぐ蓋と、蓋より靭性を有する合成樹脂から成り、且つ貫通孔における蓋と締結部材との間の内空間を満たすようにそこに配置されている充填体と、を備えるものである。【選択図】      図１
2019217180.tif 000002
【特許請求の範囲】
【請求項１】
歯槽骨に埋設されるインプラント体と、
前記インプラント体に取り付けられるアバットメントと、
前記アバットメントに被せられ、前記アバットメントに向かって延びる貫通孔を有する人工歯冠と、
前記人工歯冠を前記アバットメント又は前記インプラント体に締結すべく前記貫通孔に挿通される締結部材と、
前記貫通孔の開口側部分を塞ぐ蓋と、
前記蓋より靭性を有する合成樹脂から成り、且つ前記貫通孔における前記蓋と前記締結部材との間の内空間を満たすようにそこに配置されている充填体と、を備える人工歯構造体。
【請求項２】
前記充填体は、非吸水性の材料からなる、請求項１に記載の人工歯構造体。
【請求項３】
前記充填体には、抗菌剤が含まれている、請求項１又は２に記載の人工歯構造体。
【請求項４】
前記充填体は、流動性を有する充填剤を前記内空間に充填した後に硬化させることができる硬化性材料から成る、請求項１乃至３の何れか１つに記載の人工歯構造体。
【請求項５】
歯槽骨に埋設されるインプラント体と、
前記インプラント体に向かって延びる内孔を有し、前記インプラント体に取り付けられるアバットメントと、
前記アバットメントに被せられて前記内孔の一方の開口部を塞ぐ人工歯冠と、
前記アバットメントを前記インプラント体に締結すべく前記内孔に挿通される締結部材と、
前記蓋より靭性を有する合成樹脂から成り、且つ前記内孔における前記一方の開口部と前記締結部材との間の内空間を満たすようにそこに配置されている充填体と、を備える人工歯構造体。
【請求項６】
歯槽骨に埋設されるインプラント体と、前記インプラント体に取り付けられるアバットメントと、前記アバットメントに被せられ、前記アバットメントに向かって延びる貫通孔を有する人工歯冠と、前記人工歯冠を前記アバットメント又は前記インプラント体に締結すべく前記貫通孔に挿通される締結部材と、前記貫通孔の開口側部分を塞ぐ蓋と、を備える人工歯構造体用の充填体であって、
前記蓋より靭性を有する合成樹脂から成り、且つ前記貫通孔における前記蓋と前記締結部材との間の内空間を満たすようにそこに配置される、人工歯構造体用の充填体。
【発明の詳細な説明】
【技術分野】
【０００１】
本発明は、インプラント体を備え、インプラント体を歯槽骨に埋め込むことによって口腔内に取り付けられる人工歯構造体、及び人工歯構造体用の充填体に関する。
【背景技術】
【０００２】
歯根を欠損した場合に歯を人工的に再生させる１つの方法としてインプラント治療がある。インプラント治療は、人工歯構造体を用いて歯を再生させる方法である。具体的に説明すると、人工歯構造体は、インプラント体、アバットメント、及び人工歯冠を備え、まずインプラント体が歯槽骨に埋め込まれる。次に、インプラント体にアバットメントを取り付け、更にアバットメントに人工歯冠を被せて固定する。固定する際の方式としては、例えばねじ固定式があり、ねじ固定式では、以下のようにしてアバットメントに人工歯冠が締結される。即ち、人工歯冠には、貫通孔であるアクセスホールが形成されている。アクセスホールは、人工歯冠を上下方向に貫通するように形成されており、そこに締結部材であるねじが挿入されている。また、アクセスホールは、その下側の開口がアバットメントに臨むように形成されており、挿入されたねじはアバットメントに螺合されている。これにより、人工歯冠がアバットメントに締結され、それに伴って人工歯冠がインプラント体に固定される。このような構造の人工歯構造体としては、例えば特許文献１の図８に記載されているようなものがある。
【先行技術文献】
【特許文献】
【０００３】
【特許文献１】特開２０１２−２９８７９号公報
【発明の概要】
【発明が解決しようとする課題】
【０００４】
特許文献１の人工歯構造体のように人工歯冠にアクセスホールが形成される場合、その中に食べ物等が入り込むことがある。そのような事態を防ぐべく、アクセスホールの上側の開口側部分に蓋を形成する。即ち、前記開口側部分にコンポジットレジンを注入し、それを硬化させて蓋を形成して開口側部分を塞ぐ。これにより、食べ物がアクセスホールに入り込むことを防ぐことができ、また人工歯構造体の審美性を高めることができる。他方、アクセスホールに蓋をすることで以下のような事態が発生する。
【０００５】
即ち、人工歯構造体では、ねじの緩み等によって人工歯冠がアバットメントから外れることがあり、緩み等が発生していないか定期的に点検が行われる。その際には、蓋を除去する必要があり、蓋の除去はドリル等の工具を使って行われる。しかし、蓋は、主に開口側部分を塞ぐこと及び点検時における除去のしやすさを考慮して形成されており、開口側部分にのみ蓋が形成されている。それ故、アクセスホールには、蓋とねじとの間に内空間が形成されている。内空間は、上側の開口側部分が閉じられているものの、蓋の経年劣化やマイクロムーブメント等に起因して隙間が発生する。内空間にこの隙間から細菌等が入り込み、入り込んだ細菌が内空間にて繁殖することが考えられる。
【０００６】
このような細菌の繁殖を抑制する対処法として、以下のようなことが考えられる。即ち、アクセスホール全体にコンポジットレジンを充填して内空間を埋め、細菌の繁殖を抑える。この方法の場合、点検時において硬化したコンポジットレジンをドリル等の工具によって削り取る必要がある。しかし、内空間は、アクセスホールの深いところであって口腔内のような暗視下に形成されている。それ故、内空間に形成されるコンポジットレジンに対する視認性は悪く、削り残しが生じる場合がある。削り残しが生じた場合には、ねじを回すことができず、ねじの緩みを解消することができない。他方、削り残しが生じないようにすると、削り取る際に誤ってねじまで削ってしまい、ねじを破壊してしまうことが考えられる。
【０００７】
そこで本発明は、人工歯冠の貫通孔における細菌の繁殖を抑制すると共に、容易に点検することができる人工歯構造体を提供することを目的としている。
【課題を解決するための手段】
【０００８】
本発明の人工歯構造体は、歯槽骨に埋設されるインプラント体と、前記インプラント体に取り付けられるアバットメントと、前記アバットメントに被せられ、前記アバットメントに向かって延びる貫通孔を有する人工歯冠と、前記人工歯冠を前記アバットメント又は前記インプラント体に締結すべく前記貫通孔に挿通される締結部材と、前記貫通孔の開口側部分を塞ぐ蓋と、前記蓋より靭性を有する合成樹脂から成り、且つ前記貫通孔における前記蓋と前記締結部材との間の内空間を満たすようにそこに配置されている充填体と、を備えるものである。
【０００９】
本発明に従えば、内空間が充填体によって満たされているので、内空間を細菌の繁殖に適さない環境にすることができ、細菌の繁殖を抑えることができる。また、充填体が靭性を有しているので、充填体を内空間から取り出す際に充填体を摘まむ等して一つの塊として取り出すことができる。即ち、ドリル等の工具によって蓋を削り取った後、内空間から充填体を一気に抜き取ることができる。それ故、点検時において充填体を容易に外すことができ、容易に点検することができる。
【００１０】
上記発明において、前記充填体は、非吸水性の材料から成ることが好ましい。上記構成に従えば、充填体内にて細菌が繁殖することを抑制することができる。
【００１１】
上記発明において、前記充填体には、抗菌剤が含まれていることが好ましい。上記構成に従えば、内空間に細菌が入り込んでも充填体にある抗菌剤によって細菌の繁殖を更に抑制することができる。
【００１２】
上記発明において、前記充填体は、流動性を有する充填剤を前記内空間に充填した後に硬化させることができる硬化性材料から成ることが好ましい。
【００１３】
上記構成に従えば、充填剤を内空間に充填することで内空間に充填体を満たすことができるので、充填体の形成が容易である。また、充填剤が流動性を有しているので、充填剤を隙間に入り込ませることができ、内空間に充填体をより密に満たすことができる。これにより、内空間をより細菌の繁殖に適さない環境にすることができ、細菌の繁殖を抑えることができる。
【００１４】
本発明の人工歯構造体は、歯槽骨に埋設されるインプラント体と、前記インプラント体に向かって延びる内孔を有し、前記インプラント体に取り付けられるアバットメントと、前記アバットメントに被せられて前記内孔の一方の開口部を塞ぐ人工歯冠と、前記アバットメントを前記インプラント体に締結すべく前記内孔に挿通される締結部材と、前記蓋より靭性を有する合成樹脂から成り、且つ前記内孔における前記一方の開口部と前記締結部材との間の内空間を満たすようにそこに配置されている充填体と、を備えるものである。
【００１５】
本発明に従えば、内空間が充填体によって満たされているので、内空間を細菌の繁殖に適さない環境にすることができ、細菌の繁殖を抑えることができる。また、充填体が靭性を有しているので、充填体を内空間から取り出す際に充填体を摘まむ等して一つの塊として取り出すことができる。即ち、ドリル等の工具によって蓋を削り取った後、内空間から充填体を一気に抜き取ることができる。それ故、点検時において充填体を容易に外すことができ、容易に点検することができる。
【００１６】
本発明の人工歯構造体用の充填体は、歯槽骨に埋設されるインプラント体と、前記インプラント体に取り付けられるアバットメントと、前記アバットメントに被せられ、前記アバットメントに向かって延びる貫通孔を有する人工歯冠と、前記人工歯冠を前記アバットメント又は前記インプラント体に締結すべく前記貫通孔に挿通される締結部材と、前記貫通孔の開口側部分を塞ぐ蓋と、を備えるものであって、前記蓋より靭性を有する合成樹脂から成り、且つ前記貫通孔における前記蓋と前記締結部材との間の内空間を満たすようにそこに配置されるものである。
【００１７】
本発明に従えば、内空間が充填体によって満たされているので、内空間を細菌の繁殖に適さない環境にすることができ、細菌の繁殖を抑えることができる。また、充填体が靭性を有しているので、充填体を内空間から取り出す際に充填体を摘まむ等して一つの塊として取り出すことができる。即ち、ドリル等の工具によって蓋を削り取った後、内空間から充填体を一気に抜き取ることができる。それ故、点検時において容易に外すことができ、容易に点検することができる。
【発明の効果】
【００１８】
本発明によれば、人工歯冠の貫通孔における細菌の繁殖を抑制すると共に、容易に点検することができる。
【図面の簡単な説明】
【００１９】
【図１】本発明の第１実施形態に係る人工歯構造体を示す断面図である。
【図２】図１の人工歯構造体を分解して示す分解図である。
【図３】図１の人工歯構造体の取付手順を示す図であり、（ａ）はインプラント体を歯槽骨に埋設した状態を示す図であり、（ｂ）は、（ａ）のインプラント体にアバットメントを取り付けた状態を示す図である。
【図４】図１の人工歯構造体の取付手順を示す図であり、（ａ）は図３（ｂ）アバットメントに人工歯冠を被せた状態を示す図であり、（ｂ）は、（ａ）の人工歯冠の貫通孔に充填体を入れ込んだ状態を示す図である。
【図５】本発明の第２実施形態の人工歯構造体を示す断面図である。
【図６】本発明の第３実施形態の人工歯構造体を示す断面図である。
【発明を実施するための形態】
【００２０】
以下では、本発明の第１乃至第３実施形態に係る人工歯構造体１，１Ａ，１Ｂについて前述する図面を参照しながら説明する。なお、以下の説明で用いる方向の概念は、説明する上で便宜上使用するものであって、発明の構成の向き等をその方向に限定するものではない。また、以下に説明する人工歯構造体１，１Ａ，１Ｂは、本発明の一実施形態に過ぎない。したがって、本発明は実施形態に限定されず、発明の趣旨を逸脱しない範囲で追加、削除、変更が可能である。
【００２１】
［第１実施形態］
＜人工歯構造体＞
歯根を欠損した場合において、歯を人工的に再生させる１つの方法としてインプラント治療があり、インプラント治療では、例えば図１に示すような人工歯構造体１が用いられる。人工歯構造体１は、いわゆる自然に生えてくる歯（即ち、自然な歯）を模して作成される人工的な歯であり、その一部分を歯槽骨（例えば、下顎の歯槽骨）２に埋設させて口腔内に取り付けられる。具体的に説明すると、歯槽骨２には、図示しないドリル等によって予めインプラント窩３が形成され（図２参照）、人工歯構造体１は、その一部分をインプラント窩３に入れて埋設されている。このようにして取り付けられる人工歯構造体１は、図２にも示すようにインプラント体１１と、アバットメント１２と、人工歯冠１３と、オクルーザルねじ１４と、を備えている。
【００２２】
インプラント体１１は、大略有底筒状に形成されており、例えばチタン及びチタン合金等の金属、セラミック、又はＰＥＥＫ等の合成樹脂から成る。インプラント体１１は、その外周面に雄ねじが形成されており、前述するインプラント窩３に螺合させるように挿入されている。即ち、インプラント体１１は、歯槽骨２に螺合するように埋設される。即ち、インプラント体１１は、まずインプラント窩３に埋入される。埋入後、インプラント体１１の周辺の歯槽骨２及びその辺縁の歯肉４等が治癒して安定するまで待つ（例えば、３〜１６週間）ことによってインプラント体１１が歯槽骨２に結合される。このようにインプラント体１１は、インプラント窩３に埋入されて歯槽骨２に結合されることによって歯槽骨２に埋設される。このように埋設されるインプラント体１１は、ねじ孔１１ａを有しており、インプラント体１１のねじ孔１１ａは、以下のように形成されている。即ち、インプラント体１１のねじ孔１１ａには、その開口側部分１１ｂを除いた部分に雌ねじが形成されており、開口側部分１１ｂは開口端に進むにつれて拡径するようにテーパ状に形成されている。このように形成されているインプラント体１１には、埋設後にアバットメント１２が取り付けられる。
【００２３】
アバットメント１２は、例えばチタン及びチタン合金等の金属、セラミック、又はＰＥＥＫ等の合成樹脂から成り、アバットメント本体２１と、アバットメントねじ２２とを有している。アバットメント本体２１は、大略円筒状に形成されており、その外周面の軸線方向中間部分にフランジ２１ａを有している。フランジ２１ａは、前記中間部分において周方向全周にわたって形成されており、残余部分に対して半径方向外側に突出している。また、アバットメント本体２１の上下の両端部分２１ｂ，２１ｃは、共に開口端に向かって先細りのテーパ状に形成されている。即ち、その一端部分である上端部分２１ｂは、大略円錐台状に形成され、他端部分である下端部分２１ｃは、大略逆円錐台状に形成されている。
【００２４】
更に詳細に説明すると、下端部分２１ｃは、インプラント体１１の開口側部分１１ｂの形状に合わせて形成されており、インプラント体１１の開口側部分１１ｂに嵌まり込むようになっている。このような形状を有するアバットメント本体２１は、その下端部分２１ｃを開口側部分１１ｂにはめ込んだ状態でインプラント体１１の上端に載せられている。また、アバットメント本体２１は、内孔２１ｄを有しており、内孔２１ｄにはアバットメントねじ２２が挿通されている。
【００２５】
アバットメントねじ２２は、大略円柱状に形成されており、その外周面であって軸線方向中間部分に雄ねじ２２ａが形成されている。また、アバットメントねじ２２の一端部には、頭部２２ｂが形成されており、頭部２２ｂは残余部より大径に形成されている。更に、頭部２２ｂには、六角孔２２ｃが、アバットメントねじ２２の軸線に沿って形成されており、図示しない六角レンチ等を入れてアバットメントねじ２２を回せるようになっている。
【００２６】
このような形状を有するアバットメントねじ２２は、アバットメント本体２１の内孔２１ｄに挿通されており、その雄ねじ２２ａがアバットメント本体２１から突出してインプラント体１１のねじ孔１１ａに螺合されている。また、アバットメント本体２１の内孔２１ｄは、アバットメントねじ２２の形状に合わせてその上端側部分が残余部分より大径に形成されている。それ故、アバットメント本体２１の残余部分と上端側部分との間には、座部２１ｅが形成されており、アバットメントねじ２２の頭部２２ｂが座部２１ｅに着座している。これにより、アバットメント本体２１がアバットメントねじ２２とインプラント体１１とによって挟持され、アバットメント１２がインプラント体１１に締結される。このように取り付けられるアバットメント１２には、人工歯冠１３が覆い被されて取り付けられている。
【００２７】
人工歯冠１３は、いわゆる自然に生えてくる歯（即ち、自然な歯）の歯冠を模して作成されるものであり、例えば金属冠、硬質レジン前装冠、陶材焼き付け冠、及びジルコニア冠等がある。人工歯冠１３は、隣接する歯との間の隙間、及び対向する歯との咬合を考慮しながら成形される。このように成形されている人工歯冠１３には、その下端部分に凹所１３ａが形成されている。凹所１３ａは、大略逆円錐台状に形成されており、その中にアバットメント本体２１の上端部分２１ｂが収められるようになっている。このように構成される人工歯冠１３は、凹所１３ａに前記上端部分２１ｂを収め、且つその下端の外周縁をアバットメント本体２１のフランジ２１ａに載せるようにしてアバットメント１２に被せられる。また、人工歯冠１３には、貫通孔１３ｂが形成されている。貫通孔１３ｂは、人工歯冠１３の端面、即ち咬合面から凹所１３ａまで人工歯冠１３を上下方向に貫通しており、貫通孔１３ｂには、オクルーザルねじ１４が挿入されている。
【００２８】
締結部材であるオクルーザルねじ１４は、頭部１４ａを有するねじであり、その全体を貫通孔１３ｂに挿通することができるようになっている。また、貫通孔１３ｂでは、その凹所１３ａに繋がる部分が残余部分に対して小径となっている、即ちこの凹所１３ａと繋がる部分に小径部分１３ｃが形成されている。この小径部分１３ｃの孔径は、頭部１４ａの外径より小径となっており、貫通孔１３ｂにオクルーザルねじ１４を挿入すると、オクルーザルねじ１４の頭部１４ａがこの小径部分１３ｃに着座する。
【００２９】
他方、オクルーザルねじ１４の先端部分の外径は、小径部分１３ｃの孔径より小さくなっており、その先端部分は貫通孔１３ｂから凹所１３ａへと突き出ている。また、オクルーザルねじ１４には、頭部１４ａを除く残余部分の外周部に雄ねじが形成されており、アバットメントねじ２２には、オクルーザルねじ１４の先端部分に対応させるように雌ねじ部２２ｄが形成されている。雌ねじ部２２ｄは、アバットメントねじ２２の軸線に沿って六角孔２２ｃから更に先端側へ延在するように形成されている。このように形成される雌ねじ部２２ｄには、凹所１３ａへと突き出たオクルーザルねじ１４の先端部分が螺合されている。このように螺合されているオクルーザルねじ１４は、その頭部１４ａを貫通孔１３ｂの小径部分１３ｃに着座させており、着座することで人工歯冠１３がオクルーザルねじ１４とアバットメント１２とによって挟持されている。これにより、人工歯冠１３がアバットメント１２に締結されて取り付けられる。
【００３０】
このように構成されている人工歯構造体１では、前述の通り人工歯冠１３に貫通孔１３ｂが形成されており、そこに食べ物等が入り込まないように以下のように構成されている。即ち、貫通孔１３ｂには、その開口側部分にコンポジットレジン等を硬化性の合成樹脂が注入され、貫通孔１３ｂの開口側部分に蓋１５が形成されている。これにより、貫通孔１３ｂが塞がれてそこに食べ物等が入り込むことを防ぐことができる。他方、貫通孔１３ｂの開口側部分に蓋１５を形成することによって、蓋１５とオクルーザルねじ１４との間に内空間３０が形成される。この内空間３０は、蓋１５によって塞がれてはいるが、経年劣化等やマイクロムーブメントによって様々な隙間が生じるので、必ずしも内空間３０を外空間から断つことはできない。それ故、前述する隙間を介して内空間３０に細菌が入り込んで繁殖することが考えられる。そこで、入り込んだ細菌が内空間３０にて繁殖しないようにすべく、人工歯構造体１では内空間３０が充填体１６で満たされている。
【００３１】
人工歯構造体用である充填体１６は、例えば印象材として使用されるシリコーン（シリコーン系印象材）や、歯科用高分子系仮封材等を成す合成樹脂であって、蓋１５より靭性を有する合成樹脂から成る。即ち、充填体１６は、充填剤を内空間３０に充填して構成される。更に詳細に説明すると、充填剤は、２つの材料を練和することによって硬化する硬化性材料から成る。例えば、充填剤は、主剤（ベース）と硬化剤（キャタリスト）とを混ぜ合わせることによって短い時間（例えば、２分〜６分程度）で硬化可能な流動性の合成樹脂が用いられ、例えば以下で説明する充填器具を用いて内空間３０に充填される。即ち、充填器具では、主剤及び硬化剤が夫々別々のカートリッジに充填されており、主剤及び硬化剤の各々は、カートリッジからミキシングチップに押し出されて練和される。練和された後、主剤及び硬化剤から成る充填剤はミキシングチップの先端に取り付けられたノズルを介して貫通孔１３ｂの開口側部分から内空間３０に充填される。このような充填器具によって充填することによって、貫通孔１３ｂのような孔径の小さい孔にも充填剤を密に充填することが容易である。
【００３２】
このようにして内空間３０が充填剤で満たした後、そのまま放置して充填剤を硬化させると、内空間３０に固形の充填体１６が形成される。このように内空間３０に充填剤を硬化させて固形の充填体１６を内空間３０に形成することによって、内空間３０を充填体１６で満たすことができる。また内空間３０を充填体１６で満たすことによって、細菌が繁殖するのに必要な水分等が内空間３０に入り込むことを抑制することができる。即ち、内空間３０を細菌の繁殖に適さない環境にすることができ、細菌の繁殖を抑えることができる。また、内空間３０に充填体１６が満たされることによってオクルーザルねじ１４の緩みも抑制することができる。
【００３３】
＜人工歯構造体の装着例＞
以下では、前述のように構成される人工歯構造体１の取付方法について、図１乃至４を参照しながら簡単に説明する。人工歯構造体１を歯槽骨２に取り付けるに当たっては、まず歯槽骨２に図示しないドリル等によってインプラント窩３が形成される（図２参照）。インプラント窩３が形成されると、インプラント窩３にインプラント体１１を螺合しながら埋入する（図３（ａ）参照）。埋入後は、インプラント体１１がその周辺の歯槽骨２及びその辺縁の歯肉４が治癒して安定するまで待つ。これにより、インプラント体１１が歯槽骨２と結合する、即ち埋設される。埋設後、インプラント体１１の上にアバットメント本体２１が載せられ、アバットメント本体２１の内孔２１ｄにアバットメントねじ２２が挿通される。更に、アバットメントねじ２２の雄ねじ２２ａをインプラント体１１のねじ孔１１ａに螺合させ、頭部２２ｂが座部２１ｅに着座するまでアバットメントねじ２２が回される。これにより、アバットメント本体２１がインプラント体１１に締結されて、インプラント体１１にアバットメント１２が取り付けられる（図３（ｂ）参照）。
【００３４】
更に、アバットメント１２には、人工歯冠１３が被せられ、貫通孔１３ｂにオクルーザルねじ１４が挿入される。挿通されたオクルーザルねじ１４の先端部分は、貫通孔１３ｂの小径部分１３ｃに通され、アバットメントねじ２２の雌ねじ部２２ｄに螺合される。更にオクルーザルねじ１４は、その頭部１４ａが貫通孔１３ｂの小径部分１３ｃに着座するまで回される。それによって人工歯冠１３がアバットメント１２に締結されて取り付けられる、即ちオクルーザルねじ１４によって人工歯冠１３がアバットメント１２を介してインプラント体１１に取り付けられる（図４（ａ）参照）。取り付けられた後、人工歯冠１３の貫通孔１３ｂには、例えば前述する充填器具を使用して充填剤が注入される。この際、充填剤は、貫通孔１３ｂの開口側部分を残して（例えば、開口端から約１ｍｍ以上３ｍｍ以下の範囲を除いた部分）、即ち内空間３０全体に充填される。充填後しばらくすると硬化して充填体１６となり（図４（ｂ）参照）、硬化した後、貫通孔１３ｂの開口側部分、即ち充填体１６の上にコンポジットレジンが充填される。このコンポジットレジンは、例えば光重合型のものが使用され、充填後に紫外線等の光を当てると硬化して蓋１５となる（図１参照）。このようにしてコンポジットレジンが硬化して蓋１５になることによって、内空間３０が充填体１６に満たされた状態で貫通孔１３ｂが塞がれる。
【００３５】
このように構成されている人工歯構造体１では、人工歯冠１３の内周面が以下のようにして構成されている。即ち、人工歯冠１３の内周面は、凹凸がないように研磨されているが、咬合面の加工等の兼ね合いから開口側部分の表面粗さが残余の部分の表面粗さより大きい。それ故、内周面の開口側部分では、コンポジットレジンを内周面の微小な凹凸に入り込んだ状態で硬化させることができ、蓋１５をその凹凸に引っ掛かけて人工歯冠１３から外れないようにすることができる。他方、人工歯冠１３の内周面において充填体１６が形成される部分は、前述の通り表面粗さが小さい、即ち凹凸がないように研磨されており、その部分における引っ掛かりが少ない。それ故、内周面上を滑らせるように充填体１６を貫通孔１３ｂから取り出すことができる。このようにして取り出すことができる充填体１６は、前述の通り蓋１５より靭性を有する合成樹脂から成り、ドリル等の工具を使うことなく摘まんだり挟んだりすることができる。即ち、充填体１６を一つの塊として貫通孔１３ｂから抜くことができ、ドリル等の工具によって蓋１５を削り取った後に充填体１６を一気に抜き取ることができる。それ故、点検時の作業を容易にすることができる。
【００３６】
なお、内空間３０を蓋１５と同じコンポジットレジン等の脆性材で内空間３０を埋めた場合、以下のようなことが生じる。即ち、内空間３０に埋められた脆性材はドリル等の工具によって削り取られる必要があるが、内空間３０が深く且つ口腔内に配置されているため、内空間３０の視認性が悪く、脆性材が内空間３０に残ることがある。特に、工具孔に脆性材が残るとオクルーザルねじ１４を回すことができずに取外しが困難となる。他方、残らないように入念にドリル等の工具によって脆性材を削り取ると、やはり内空間３０の視認性が悪いため、誤ってオクルーザルねじ１４の頭部１４ａ又はそれ全体を破損させることがある。これに対して充填体１６は、内空間３０から一気に抜き取ることができるので、取り出す際にドリル等の工具等を使う必要がない。それ故、誤ってオクルーザルねじ１４の頭部１４ａ又はそれ全体を破損させるような事態を生じることを防ぐことができる。
【００３７】
また、印象材に使用されるシリコーン材は、硬化前後の収縮率が微小である（例えば、硬化後の収縮率が０．０２％以下）。それ故、前述のようなシリコーン材を用いると、硬化後も内空間３０が充填体１６にて満たされたままにすることができ、内空間３０に形成される隙間が拡張されることを抑制することができる。それ故、硬化後において内空間３０を細菌の繁殖に適さない環境にて維持することができ、細菌の繁殖を抑えることができる。また、印象材に使用されるシリコーン材は、非吸水性の材料、即ちその中に水分を蓄えない材料である。それ故、充填体１６の中において細菌が繁殖することを抑制することができ、内空間３０における細菌の繁殖を更に抑えることができる。なお、充填体１６の材料は、前述するような機能（即ち、硬化前後の収縮率が微小且つ硬化後の吸湿性が低い）を有する合成樹脂であれば、前述するシリコーン材に限定されない。また、充填体１６は、必ずしも前述するような機能を有する材料である必要はなく、蓋１５より靭性を有する材料であればよい。なお、充填体１６の材料となる充填剤には、抗菌剤（例えば、銀をベースとした抗菌性添加剤）が添加されてもよい。そうすると、充填体１６が抗菌機能を有するようになり、更に細菌の繁殖を抑えることができる。
【００３８】
また、充填体１６が流動性を有する充填剤を内空間３０に充填し、そして硬化させて構成されているので、充填体１６の形成が簡単である。また、内空間３０を形成する様々な隙間に入り込ませることができ、内空間３０に充填体１６をより密に満たすことができる。これにより、内空間３０をより細菌の繁殖に適さない環境にすることができ、細菌の繁殖を抑えることができる。
【００３９】
［その他の実施形態］
本実施形態の人工歯構造体１は、下顎の歯槽骨２に適用した場合について説明しているが、そこに限定されず上顎の歯槽骨に適用されてもよい。また、人工歯構造体１の構成も前述するものに限定されない。例えば、アバットメント本体２１とアバットメントねじ２２とが一体的に構成されているものであってもよい。また、前述する実施形態のアバットメントねじ２２とオクルーザルねじ１４とが一体的に構成されてもよい。即ち、図５に示す第２の実施形態の人工歯構造体１Ａのように構成されていてもよい。人工歯構造体１Ａでは、人工歯冠１３とアバットメント１２とが予め接合されており、それらが接合された状態でインプラント体１１の上に載せられる。次に、アバットメントねじ２２Ａが貫通孔１３ｂ及び内孔２１ｄに挿通され、アバットメントねじ２２Ａの先端部分がインプラント体１１のねじ孔１１ａに螺合される。そうすることで、アバットメントねじ２２Ａの頭部２２ｂが人工歯冠１３の小径部分１３ｃに着座し、アバットメント１２Ａと人工歯冠１３とがアバットメントねじ２２Ａとインプラント体１１とによって挟まれる。これにより、アバットメント１２Ａと人工歯冠１３とがインプラント体１１に締結されて取り付けられる。このように構成される人工歯構造体１Ａもまた、貫通孔１３ｂが形成されているので、そこに充填体１６を充填することによって、前述する人工歯構造体１と同様の作用効果を奏する。
【００４０】
更に、人工歯構造体１Ｂは、図６に示すような構造であってもよい。即ち、第３実施形態の人工歯構造体１Ｂでは、アバットメント本体２１Ｂの上端部分２１ｂが上下方向に長尺に形成されており、アバットメント本体２１Ｂの上端部分２１ｂに人工歯冠１３Ｂが被せられて隙間なくセメント合着されている。これにより、内孔２１ｄの一方の開口部、即ち上側の開口部が塞がれ、内孔２１ｄにはアバットメントねじ２２の上方、即ち、上側の開口とアバットメントねじ２２との間に内空間３０Ｂが形成されている。内空間３０Ｂには、第１実施形態の人工歯構造体１と同様に充填体１６が満たされており、前述する人工歯構造体１と同様の作用効果を奏する。その他、人工歯構造体１の各構成の形状も前述のような形状に限定されず、貫通孔１３ｂに充填体１６を充填することで同様の作用効果を奏する。
【００４１】
また、充填体１６を構成する材料も、前述する印象材に使用されるシリコーン材に限定されない。例えば、蓋１５を構成する合成樹脂より靭性を有する合成樹脂（例えば、歯科用光重合型高分子系仮封材（エバダイン（商標）  プラス））によって構成されてもよい。このような靭性を有する合成樹脂によって充填体１６を構成することで、貫通孔１３ｂから充填体１６を摘まんで取り出すことができ、点検時における取外し作業が容易である。また、充填体１６は、必ずしも充填剤を硬化させて形成する必要はなく、例えば靭性を有するテープ（例えば、ＰＴＦＥのテープ）を内空間３０に詰めて満たすことによって構成するようにしてもよい。
【符号の説明】
【００４２】
１      人工歯構造体
１１    インプラント体
１２    アバットメント
１３    人工歯冠
１３ｂ  貫通孔
１４    オクルーザルねじ（締結部材）
１５    蓋
１６    充填体
２２Ａ  アバットメントねじ（締結部材）
３０    内空間
【図１】
2019217180.tif 000003
【図２】
2019217180.tif 000004
【図３】
2019217180.tif 000005
【図４】
2019217180.tif 000006
【図５】
2019217180.tif 000007
【図６】
2019217180.tif 000008